(57)【要約】【課題】デジタルカメラやＰＣで処理される画像ファイル予想されない符号を含むＪＰＥＧ符号を受信した受信機では、その受信情報をそのままメモリカードに格納してしまうと、そのメモリカードはデジタルスチルカメラ或いはＰＣで読み取りができなくなる虞がある。【解決手段】カラー画像情報を通信可能なファクシミリ装置であって、送信機から送信される色空間ｓＹＣＣのＪＰＥＧ符号情報を受信してメモリに格納し、その格納したＪＰＥＧ符号情報がＲＳＴマーカを含んでいるかどうかを判断し（Ｓ１０）、ＲＳＴマーカを含んでいると判断すると、その受信したＪＰＥＧ符号情報を復号して記録し（Ｓ１２）、ＲＳＴマーカを含んでいないと判断すると、その受信したＪＰＥＧ符号情報をメモリカードに記憶する（Ｓ２１）。【選択図】  図４
2004266514.tif 000002
【特許請求の範囲】
【請求項１】
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
カラー画像を記録する記録手段と、
メモリカードを装着するカード装着手段と、
送信機から送信される色空間ｓＹＣＣのＪＰＥＧ符号情報を受信して格納する格納手段と、
前記格納手段に格納された前記ＪＰＥＧ符号情報がＲＳＴマーカを含んでいる時は、前記ＪＰＥＧ符号情報を復号して前記記録手段により記録し、前記ＲＳＴマーカを含んでいない時は、前記ＪＰＥＧ符号情報を前記メモリカードに記憶するように制御する制御手段と、
を有することを特徴とするファクシミリ装置。
【請求項２】
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
カラー画像を記録する記録手段と、
メモリカードを装着するカード装着手段と、
送信機から送信される色空間ｓＹＣＣのＪＰＥＧ符号情報を受信して格納する格納手段と、
前記格納手段に格納された前記色空間ｓＹＣＣのＪＰＥＧ符号情報の処理条件を設定して登録する登録手段と、
前記登録手段に登録されている前記処理条件に従って、前記格納手段に格納された前記ＪＰＥＧ符号情報を前記記録手段により記録させるか、或いは前記ＪＰＥＧ符号情報を前記メモリカードに記憶するように制御する制御手段と、
を有することを特徴とするファクシミリ装置。
【請求項３】
前記処理条件は、少なくとも前記ＪＰＥＧ符号情報の主走査方向の画素数が原稿サイズであること、前記ＪＰＥＧ符号情報のヘッダのＹパラメータに副走査方向のライン数が格納されていないこと、前記ＪＰＥＧ符号情報は輝度情報のみであること、前記ＪＰＥＧ符号情報がＲＳＴマーカを含んでいないこと、の少なくともいずれかを含むことを特徴とする請求項２に記載のファクシミリ装置。
【請求項４】
前記処理条件は、アンド或いはオア条件のいずれかであることを特徴とする請求項３に記載のファクシミリ装置。
【請求項５】
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
カラー画像を記録する記録手段と、
送信機から送信される色空間ｓＹＣＣのＪＰＥＧ符号情報を受信して格納する格納手段と、
前記格納手段に格納された前記色空間ｓＹＣＣのＪＰＥＧ符号情報の中の無視すべき情報を登録する登録手段と、
前記登録手段に登録されている前記無視すべき情報に従って前記格納手段に格納された前記ＪＰＥＧ符号情報に含まれる前記情報を無視して前記ＪＰＥＧ符号情報を復号し、前記記録手段により記録させるように制御する制御手段と、
を有することを特徴とするファクシミリ装置。
【請求項６】
メモリカードを装着可能なカード装着手段と、
前記色空間ｓＹＣＣのＪＰＥＧ符号情報の受信時、前記ＪＰＥＧ符号情報を前記メモリカードに格納するか、或いは前記記録手段により記録するかを予め設定登録する手段を更に有することを特徴とする請求項５に記載のファクシミリ装置。
【請求項７】
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
カラー画像を記録する記録手段と、
メモリカードを装着するカード装着手段と、
送信機から送信される画像情報を受信して格納する格納手段と、
前記格納手段に格納された前記画像情報が前記色空間ｓＹＣＣのＪＰＥＧ符号情報で構成されているか否かを判定する判定手段と、
前記判定手段により前記色空間ｓＹＣＣのＪＰＥＧ符号情報で構成されていると判定されると前記ＪＰＥＧ符号情報を前記メモリカードに記憶し、そうでないと判定されると前記ＪＰＥＧ符号情報を復号して前記記録手段により記録するように制御する制御手段と、
を有することを特徴とするファクシミリ装置。
【請求項８】
前記判定手段により、前記画像情報が前記色空間ｓＹＣＣのＪＰＥＧ符号情報だけで構成されていないと判定された場合、前記制御手段は更に前記ＪＰＥＧ符号情報の符号量が所定量以下の場合に、前記色空間ｓＹＣＣのＪＰＥＧ符号情報を復号して前記記録手段により記録するように制御することを特徴とする請求項７に記載のファクシミリ装置。
【請求項９】
カラー画像情報を通信可能なファクシミリ装置における制御方法であって、
色空間ｓＹＣＣのＪＰＥＧ符号情報の受信機能の有無を通知する工程と、
送信機から送信される色空間ｓＹＣＣのＪＰＥＧ符号情報を受信してメモリに格納する格納工程と、
前記メモリに格納された前記ＪＰＥＧ符号情報がＲＳＴマーカを含んでいるか否かを判定する判定工程と、
前記判定工程で前記ＪＰＥＧ符号情報がＲＳＴマーカを含んでいると判定される緒、前記ＪＰＥＧ符号情報を復号して記録する工程と、
前記判定工程で前記ＲＳＴマーカを含んでいないと判定された時は、前記ＪＰＥＧ符号情報をメモリカードに記憶する工程と、
を有することを特徴とする制御方法。
【請求項１０】
カラー画像情報を通信可能なファクシミリ装置における制御方法であって、
色空間ｓＹＣＣのＪＰＥＧ符号情報の受信機能の有無を通知する工程と、
送信機から送信される色空間ｓＹＣＣのＪＰＥＧ符号情報を受信してメモリに格納する格納工程と、
前記メモリに格納された前記色空間ｓＹＣＣのＪＰＥＧ符号情報の処理条件を設定して登録する登録工程と、
前記登録工程で登録された前記処理条件に従って、前記メモリに格納された前記ＪＰＥＧ符号情報を記録するか、或いは前記ＪＰＥＧ符号情報をメモリカードに記憶するように制御する工程と、
を有することを特徴とする制御方法。
【請求項１１】
前記処理条件は、少なくとも前記ＪＰＥＧ符号情報の主走査方向の画素数が原稿サイズであること、前記ＪＰＥＧ符号情報のヘッダのＹパラメータに副走査方向のライン数が格納されていないこと、前記ＪＰＥＧ符号情報は輝度情報のみであること、前記ＪＰＥＧ符号情報がＲＳＴマーカを含んでいないこと、の少なくともいずれかを含むことを特徴とする請求項１０に記載の制御方法。
【請求項１２】
前記処理条件は、アンド或いはオア条件のいずれかであることを特徴とする請求項１１に記載の制御方法。
【請求項１３】
カラー画像情報を通信可能なファクシミリ装置における制御方法であって、
色空間ｓＹＣＣのＪＰＥＧ符号情報の受信機能の有無を通知する工程と、
送信機から送信される色空間ｓＹＣＣのＪＰＥＧ符号情報を受信してメモリに格納する格納工程と、
前記メモリに格納された前記色空間ｓＹＣＣのＪＰＥＧ符号情報の中の無視すべき情報を登録する登録工程と、
前記登録工程で登録された前記無視すべき情報に従って前記メモリに格納された前記ＪＰＥＧ符号情報に含まれる前記情報を無視して前記ＪＰＥＧ符号情報を復号し記録するように制御する制御工程と、
を有することを特徴とする制御方法。
【請求項１４】
前記色空間ｓＹＣＣのＪＰＥＧ符号情報の受信時、前記ＪＰＥＧ符号情報をメモリカードに格納するか、或いは記録するかを予め設定登録する工程を更に有することを特徴とする請求項１３に記載の制御方法。
【請求項１５】
カラー画像情報を通信可能なファクシミリ装置における制御方法であって、
色空間ｓＹＣＣのＪＰＥＧ符号情報の受信機能の有無を通知する工程と、
送信機から送信される画像情報を受信してメモリに格納する格納工程と、
前記メモリに格納された前記画像情報が前記色空間ｓＹＣＣのＪＰＥＧ符号情報で構成されているか否かを判定する判定工程と、
前記判定工程で前記色空間ｓＹＣＣのＪＰＥＧ符号情報で構成されていると判定されると前記ＪＰＥＧ符号情報をメモリカードに記憶し、そうでないと判定されると前記ＪＰＥＧ符号情報を復号して記録するように制御する制御工程と、
を有することを特徴とする制御方法。
【請求項１６】
前記判定工程で、前記画像情報が前記色空間ｓＹＣＣのＪＰＥＧ符号情報だけで構成されていないと判定された場合、前記制御工程では更に前記ＪＰＥＧ符号情報の符号量が所定量以下の場合に、前記色空間ｓＹＣＣのＪＰＥＧ符号情報を復号して記録するように制御することを特徴とする請求項１５に記載の制御方法。
【発明の詳細な説明】
【０００１】
【発明の属する技術分野】
本発明は、カラー画像情報を送受信する技術に関するものである。
【０００２】
【従来の技術】
従来のファクシミリ装置は、モノクロ通信を実行するファクシミリ装置が主流であった。しかしながら最近は、インクジェットプリンタ、デジタルカメラ、及び、パソコンの普及に伴い、カラー画像情報を扱う機会が急増してきた。このような状況の下で、カラー画像情報の通信に対するニーズが急速に高まってきている。カラー画像の送受信に関する現在のＩＴＵ−Ｔの勧告について説明する。カラー画像情報の送信は、ＩＴＵ−Ｔ勧告Ｔ．８２で規定されているＪＰＥＧ符号で、ＩＴＵ−Ｔ勧告Ｔ．４２の色空間Ｌａｂでフルカラー画像情報の送信を実行していた。
【０００３】
【発明が解決しようとする課題】
従来のカラーファクシミリ情報の色空間はＬａｂであるが、例えばデジタルカメラで撮影したカラー画像情報の色空間はｓＹＣＣである。また、パソコン（ＰＣ）によりカラー画像情報を表示する場合の色空間はｓＹＣＣである。
【０００４】
このため、色空間ｓＹＣＣのＪＰＥＧフルカラー情報を送信する場合を考えると、デジタルカメラで撮影してメモリカードに格納されているファイル情報を送信する場合だけでなく、例えば、カラー原稿情報を色空間ｓＹＣＣのＪＰＥＧ符号で送信することも考えられる。このような場合は、デジタルカメラやＰＣで処理される画像ファイルでは予想されないＪＰＥＧ符号が存在している可能性が高い。このような画像ファイルでは予想されない符号としては、例えばＪＰＥＧ符号のヘッダ、エラーリカバリのためのＲＳＴマーカ等が考えられる。従って、このような情報を含むＪＰＥＧ符号を受信した受信機では、その受信情報をそのまま、例えばメモリカードに格納してしまうと、そのメモリカードはデジタルスチルカメラ或いはＰＣで読み取りができなくなる虞がある。
【０００５】
また、デジタルカメラのファイル情報として、「Ｅｘｉｆ」タグ付きの画像ファイルを送信する場合と、「Ｅｘｉｆ」タグが無い状態でＪＰＥＧファイル情報を送信する場合が考えられる。更に、「Ｅｘｉｆ」も最近、「Ｅｘｉｆ２．２」が決定されたように、今後も進化して行くことが予想される。このような状況の中で、常に最新の「Ｅｘｉｆ」タグをサポートしていくのは困難であり、新たな「Ｅｘｉｆ」タグが付与されていると通信エラーとなってしまう虞がある。なお、これら「Ｅｘｉｆ」タグ関連の情報はＪＰＥＧヘッダのアプリケーションマーカに格納されている。
【０００６】
本発明は上記従来例に鑑みてなされたもので、受信した色空間ｓＹＣＣのＪＰＥＧ符号情報をアップロードしたメモリカードが使用不能になるのを防止することを目的とする。
【０００７】
【課題を解決するための手段】
上記目的を達成するために本発明のファクシミリ装置は以下のような構成を備える。即ち、
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
カラー画像を記録する記録手段と、
メモリカードを装着するカード装着手段と、
送信機から送信される色空間ｓＹＣＣのＪＰＥＧ符号情報を受信して格納する格納手段と、
前記格納手段に格納された前記ＪＰＥＧ符号情報がＲＳＴマーカを含んでいる時は、前記ＪＰＥＧ符号情報を復号して前記記録手段により記録し、前記ＲＳＴマーカを含んでいない時は、前記ＪＰＥＧ符号情報を前記メモリカードに記憶するように制御する制御手段とを有することを特徴とする。
【０００８】
上記目的を達成するために本発明のファクシミリ装置は以下のような構成を備える。即ち、
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
カラー画像を記録する記録手段と、
メモリカードを装着するカード装着手段と、
送信機から送信される色空間ｓＹＣＣのＪＰＥＧ符号情報を受信して格納する格納手段と、
前記格納手段に格納された前記色空間ｓＹＣＣのＪＰＥＧ符号情報の処理条件を設定して登録する登録手段と、
前記登録手段に登録されている前記処理条件に従って、前記格納手段に格納された前記ＪＰＥＧ符号情報を前記記録手段により記録させるか、或いは前記ＪＰＥＧ符号情報を前記メモリカードに記憶するように制御する制御手段と、を有することを特徴とする。
【０００９】
上記目的を達成するために本発明のファクシミリ装置は以下のような構成を備える。即ち、
カラー画像情報を通信可能なファクシミリ装置であって、
色空間ＬａｂでのＪＰＥＧ符号情報の受信機能の有無を通知する手段と、
色空間Ｌａｂでのフルカラー画像情報の受信機能の有無を通知する手段と、
色空間ｓＹＣＣのＪＰＥＧ符号情報の受信機能の有無を通知する手段と、
カラー画像を記録する記録手段と、
メモリカードを装着するカード装着手段と、
送信機から送信される画像情報を受信して格納する格納手段と、
前記格納手段に格納された前記画像情報が前記色空間ｓＹＣＣのＪＰＥＧ符号情報で構成されているか否かを判定する判定手段と、
前記判定手段により前記色空間ｓＹＣＣのＪＰＥＧ符号情報で構成されていると判定されると前記ＪＰＥＧ符号情報を前記メモリカードに記憶し、そうでないと判定されると前記ＪＰＥＧ符号情報を復号して前記記録手段により記録するように制御する制御手段とを有することを特徴とする。
【００１０】
上記目的を達成するために本発明のファクシミリ装置の制御方法は以下のような工程を備える。即ち、
カラー画像情報を通信可能なファクシミリ装置における制御方法であって、
色空間ｓＹＣＣのＪＰＥＧ符号情報の受信機能の有無を通知する工程と、
送信機から送信される色空間ｓＹＣＣのＪＰＥＧ符号情報を受信してメモリに格納する格納工程と、
前記メモリに格納された前記ＪＰＥＧ符号情報がＲＳＴマーカを含んでいるか否かを判定する判定工程と、
前記判定工程で前記ＪＰＥＧ符号情報がＲＳＴマーカを含んでいると判定される緒、前記ＪＰＥＧ符号情報を復号して記録する工程と、
前記判定工程で前記ＲＳＴマーカを含んでいないと判定された時は、前記ＪＰＥＧ符号情報をメモリカードに記憶する工程とを有することを特徴とする。
【００１１】
上記目的を達成するために本発明のファクシミリ装置の制御方法は以下のような工程を備える。即ち、
カラー画像情報を通信可能なファクシミリ装置における制御方法であって、
色空間ｓＹＣＣのＪＰＥＧ符号情報の受信機能の有無を通知する工程と、
送信機から送信される色空間ｓＹＣＣのＪＰＥＧ符号情報を受信してメモリに格納する格納工程と、
前記メモリに格納された前記色空間ｓＹＣＣのＪＰＥＧ符号情報の処理条件を設定して登録する登録工程と、
前記登録工程で登録された前記処理条件に従って、前記メモリに格納された前記ＪＰＥＧ符号情報を記録するか、或いは前記ＪＰＥＧ符号情報をメモリカードに記憶するように制御する工程とを有することを特徴とする。
【００１２】
【発明の実施の形態】
以下、添付図面を参照して本発明の好適な実施の形態を詳細に説明する。
【００１３】
図１は、本発明の実施の形態に係るファクシミリ装置の構成を示すブロック図である。
【００１４】
図において、２はＮＣＵ（網制御装置）で、電話回線２ａをデータ通信等に使用するために電話回線２ａを介して他の端末に接続したり、電話交換網の接続制御を行う。また、このＮＣＵ２は、データ通信路への切り換えを行ったり、ループの保持を行う。更にＮＣＵ２は、ＣＰＵ２２によりバス２６を介して制御されることにより、電話回線２ａを信号線２ｂを介して電話機４側に接続（ＣＭＬオフ）したり、電話回線２ａを信号線２ｃを介してファクシミリ装置（ハイブリット回路６）側に接続（ＣＭＬオン）する。尚、通常状態では、電話回線２ａは電話機４側（２ｂ）に接続されている。６はハイブリッド回路で、送信系の信号と受信系の信号とを分離し、加算回路１２からの送信信号１２ａを信号線２ｃ、ＮＣＵ２経由で電話回線２ａに送出する。また相手側からの信号をＮＣＵ２を経由して受け取り、信号線６ａ経由で変復調器８に送る。８は変復調器（モデム）で、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行うことができる。尚、この変復調器８における伝送モードの指示は、バス２６を介してＣＰＵ２２の制御により行われる。この変復調器８は、バス２６を介して送信信号を入力し、その変調データを信号線８ａを介して加算回路１２に出力して送信する。一方、信号線６ａを介して入力される受信信号を復調してバス２６に出力する。１０は発呼回路で、バス２６を介して電話番号情報を入力し、信号線１０ａにＤＴＭＦの選択信号を出力する。１２は加算回路で、信号線８ａの情報と信号線１０ａの情報とを入力し、それらを加算した結果を信号線１２ａに出力する。
【００１５】
１４はカラー画像を読み取り可能な読取回路で、読み取ったカラー画像データをバス２６に出力する。１６はカラー画像の記録（プリント）が可能な記録回路で、バス２６を介して記録情報を入力し、その記録情報に従って順次１ライン毎に記録する。１８はメモリ（ＲＡＭ）で、ワーク用のメモリ（ＲＡＭ）、更に、読み取り回路１４で読み取った画像データの生情報、或いは、その画像情報を符号した情報を格納したり、また、電話回線２ａを介して受信した受信情報、及びそれを復号した情報等を、バス２６を介して入力して格納している。２０は操作部で、ワンタッチダイヤル、短縮ダイヤル、テンキー、＊キー、＃キー、スタートキー、ストップキー、セットキー、カラー情報の読み取りを選択する選択キー、ファイル情報の送信を選択するキー、受信したファイル情報をメモリカード３０へ転送する選択キー、後述する各種モードを設定するためのキーやその他のファンクションキーを備えており、この操作部２０で操作されたキー情報はバス２６を介して出力される。またこの操作部２０には表示部が設けられており、この表示部には、バス２６を介して入力される情報が表示される。２２はＣＰＵ（中央処理装置）で、この実施の形態に係るファクシミリ装置全体の動作を制御をしたり、ファクシミリの伝送制御手順を実行している。尚、このＣＰＵ２２の制御プログラムはＲＯＭ２４に格納されている。２８はカードインターフェース部で、メモリカード３０（例えば、デジタルカメラで撮影した情報が記憶されているメモリカード）がセットされる。
【００１６】
図２は本発明の実施の形態１に係る、カラー画像の送受信関連のビット情報、及び新規にＩＴＵ−Ｔ勧告Ｔ．３０に追加する情報を説明する図である。
（１）ＤＩＳ／ＤＴＣ信号のＦＩＦのビット６８により、色空間ＬａｂでのＪＰＥＧ符号の受信機能の有無を通知する。またＤＣＳ信号のＦＩＦのビット６８により、色空間ＬａｂでのＪＰＥＧ符号の送信を指定する。
（２）ＤＩＳ／ＤＴＣ信号のＦＩＦのビット６９により、色空間がＬａｂであるフルカラー画像情報の受信機能の有無を通知する。またＤＣＳ信号のＦＩＦのビット６９により、色空間Ｌａｂでのフルカラー画像情報の送信を指定する。
（３）ＤＩＳ／ＤＴＣ信号のＦＩＦのビットＸにより、色空間ｓＹＣＣでのＪＰＥＧ符号の受信機能の有無を通知する。また、ＤＣＳ信号のＦＩＦのビットＸにより、色空間ｓＹＣＣでのＪＰＥＧ符号での送信を指定する。
【００１７】
［実施の形態１］
以上の構成を備える本実施の形態１に係るカラー画像情報を通信可能なファクシミリ装置では、前手順にて、受信機から送信機に対して、色空間ＬａｂでのＪＰＥＧ符号情報の受信機能の有無、色空間Ｌａｂでのフルカラー画像情報の受信機能の有無、色空間ｓＹＣＣでのＪＰＥＧ符号情報の受信機能の有無などを通知する。
【００１８】
一方、送信機から受信機には、色空間ＬａｂでのＪＰＥＧ符号情報の送信指定、色空間Ｌａｂでのフルカラー画像情報の送信指定、或いは色空間ｓＹＣＣでのＪＰＥＧ符号情報の送信指定を行う。いま送信機から色空間ｓＹＣＣのＪＰＥＧ符号データの送信が指定されて色空間ｓＹＣＣのＪＰＥＧ符号情報を受信している時は、ＲＳＴマーカの有無により受信方法を変更する。
【００１９】
具体的には、色空間ｓＹＣＣのＪＰＥＧ符号情報を受信する時、ＲＳＴマーカを受信しない時は、その受信情報をメモリカード３０に格納する。また色空間ｓＹＣＣのＪＰＥＧ符号情報を受信する時、ＲＳＴマーカを受信した時は、その受信情報を復号して記録回路１６により記録する。
【００２０】
また一方、色空間ＬａｂのＪＰＥＧ符号情報を受信する時は、ＲＳＴマーカの受信の有無とは無関係に受信方法を変更しない。即ち、色空間ＬａｂのＪＰＥＧ符号情報を受信する時は、ＲＳＴマーカの受信の有無に無関係に、その受信したＪＰＥＧ符号を復号して記録する。
【００２１】
図３乃至図５は、本発明の実施の形態１に係るファクシミリ装置における処理を示すフローチャートであり、この処理を実行するプログラムはＲＯＭ２４に記憶されており、ＣＰＵ２２の制御の下に実行される。
【００２２】
まずステップＳ１で、バス２６を介して、メモリ１８の内容を初期化する。次にステップＳ２に進み、バス２６を介して、操作部２０の表示部をクリアする。そしてステップＳ３に進み、バス２６を介してＮＣＵ２のＣＭＬをオフする。次にステップＳ４に進み、このファクシミリ装置において、ファクシミリ受信が選択されたか否かを判断し、ファクシミリ受信が選択された時はステップＳ６に進み、そうでない時はステップＳ５に進み、選択或いは指示された、その他の処理を行って前述のステップＳ３に進む。
【００２３】
ファクシミリ受信のステップＳ６では、バス２６を介してＮＣＵ２のＣＭＬをオンし、次にステップＳ７で、前手順として、ＤＩＳ信号のＦＩＦのビット６８，６９，Ｘを全て「１」にする。次にステップＳ８に進み、ＤＣＳ信号のＦＩＦのビットＸが「１」であるか否かを判定し、「１」であれば（色空間ｓＹＣＣでのＪＰＥＧ送信）ステップＳ９に進み、色空間ｓＹＣＣでのＪＰＥＧ符号を受信してメモリ１８に格納する（メモリ受信）。
【００２４】
次にステップＳ１０（図４）に進み、ステップＳ９で受信したＪＰＥＧ符号の中にＲＳＴマーカが含まれているか否かを判断し、含まれている時はステップＳ１１に進み、含まれていない時はステップＳ１４に進む。ここで、ＲＳＴマーカを受信していない色空間ｓＹＣＣのＪＰＥＧ符号は、そのままメモリカード３０に格納しても、デジタルカメラ或いはＰＣは、そのメモリカード３０を読み取って表示することができるため、その受信情報をそのままメモリカード３０に格納する。これにより、メモリカード３０にアップロードし他情報を適切に再利用できる。
【００２５】
一方、受信した情報の１ページにでもＲＳＴマーカが含まれていると、その色空間ｓＹＣＣのＪＰＥＧ符号をそのままメモリカード３０に格納すると、そのメモリカード３０をデジタルカメラ或いはＰＣで読み取って表示できないことが考えられる。従ってその場合には、受信したＪＰＥＧ符号をメモリカード３０に格納せずに、復号した後、記録回路１６を使用してプリントする。
【００２６】
ここでは、ＪＰＥＧ符号にＲＳＴマーカが含まれているとステップＳ１１に進み、今まで、受信した色空間ｓＹＣＣのＪＰＥＧ符号データを復号して記録回路１６でプリントする。そしてステップＳ１２に進み、残りの全ページの色空間ｓＹＣＣのＪＰＥＧ符号データをも受信して復号し、記録回路１６により記録する。尚、ここでは中間手順も含んでいる。次にステップＳ１３に進み、後手順を実行して前述のステップＳ３（図３）に進む。
【００２７】
一方、ステップＳ１０で、受信したＪＰＥＧ符号にＲＳＴマーカが含まれていない場合はステップＳ１４に進み、１ページの受信が終了したか否かを判断し、１ページの受信が終了するとステップＳ１５に進み、中間手順を実行する。次にステップＳ１６に進み、次ページの受信情報があるか否かを判断し、次ページの受信情報がある時はステップＳ９（図３）に進む。次ページの受信がない時（最終ページの受信完了時）はステップＳ１７に進み、後手順を実行する。次にステップＳ１８に進み、バス２６を介してＮＣＵ２のＣＭＬをオフにする。次にステップＳ１９に進み、全ページの色空間ｓＹＣＣのＪＰＥＧ符号情報にＲＳＴマーカが含まれていないかを判断し、ＲＳＴマーカが含まれていない時はステップＳ２０に進み、メモリカード３０がセットされていて、かつ、その受信情報をメモリカード３０に書込み可能か否かをみる。可能であればステップＳ２１に進み、メモリ受信した色空間ｓＹＣＣのＪＰＥＧ符号データをメモリカード３０へ格納し、メモリ受信してメモリ１８に格納されているＪＰＥＧ符号を消去する。そしてステップＳ３に進む。尚、メモリカード３０に書込み可能か否かは、メモリカード３０に所定量の空エリアがあるかどうかに基づいて判定される。
【００２８】
一方、ステップＳ１９（図４）で、ＲＳＴマーカが含まれている時はステップＳ２２（図５（Ａ））に進み、メモリ受信してメモリ１８に格納されている色空間ｓＹＣＣのＪＰＥＧ符号データを復号して記録回路１６でプリントし、その後、メモリ受信してメモリ１８に記憶されている情報を消去する。そしてステップＳ３に進む。
【００２９】
またステップＳ８（図３）で、ＤＣＳ信号のＦＩＦのビットＸが「１」でない（色空間ｓＹＣＣでのＪＰＥＧ符号でない））時はステップＳ２３（図５（Ｂ））に進み、ＤＣＳ信号のＦＩＦのビット６８，６９がともに「１」であるか否か（色空間ＬａｂでのフルカラーＪＰＥＧ符号の受信かどうか）を判断し、そうであればステップＳ２４に進み、全ページの色空間ＬａｂでのＪＰＥＧフルカラー情報をＲＳＴマーカの有無とは無関係に受信し、復号してプリントする。ここでは、色空間ＬａｂのＪＰＥＧ送信では、原稿情報の送信が多いことが予想されるので、ＲＳＴマーカの有無に無関係にプリントすることが重要である。尚、このステップＳ２４の処理は中間手順を含んでいる。次にステップＳ２５に進み、後手順を実行して前述のステップＳ３に進む。
【００３０】
またステップＳ２３で、ＤＣＳ信号のＦＩＦのビット６８，６９がともに「１」でないときはステップＳ２６に進み、全ページのモノクロ情報を受信して復号し記録回路１６によりプリントする。この処理は中間手順を含んでいる。そしてステップＳ２７に進み、後手順を実行して前述のステップＳ３に進む。
【００３１】
このように本実施の形態１によれば、色空間ｓＹＣＣのＪＰＥＧ符号を受信した時、ＲＳＴマーカの有無により受信方法を変更する。具体的には、色空間ｓＹＣＣのＪＰＥＧ符号情報の受信時、ＲＳＴマーカを受信しない時は、その受信情報をメモリカード３０に格納し、ＲＳＴマーカを受信した時は、その受信情報を印刷する。このようなメモリカード３０への受信情報の格納制御を行うことにより、受信したＪＰＥＧ符号が書込まれたメモリカード３０をカメラやＰＣ等で使用できなくなるという不具合を解消できる。
【００３２】
また、色空間ＬａｂのＪＰＥＧ符号情報を受信した時は、無条件に、その受信情報を復号して印刷することができる。
【００３３】
［実施の形態２］
次に本発明の実施の形態２について説明する。この実施の形態２では、色空間ｓＹＣＣのＪＰＥＧ符号を受信する時は、予め登録されている色空間ｓＹＣＣのＪＰＥＧ符号を記録する条件を満たしているかを判定し、その条件を満たしている場合にのみ、その受信したＪＰＥＧ符号を記録することを特徴としている。
【００３４】
尚、この実施の形態２に係るファクシミリ装置のハードウェア構成及びＤＩＳ／ＤＴＣ信号及びＤＣＳ信号のＦＩＦの各ビットの定義は前述の実施の形態１と同様とする。
【００３５】
図６は、色空間ｓＹＣＣのＪＰＥＧ符号を受信した時に、その受信情報をメモリカード３０に格納せずに記録回路１６で記録するための条件（オア条件）の一例を説明する図である。尚、この条件情報はメモリ１８に記憶される。
【００３６】
具対的には、色空間ｓＹＣＣのＪＰＥＧ符号を印刷する条件としては、その受信したＪＰＥＧ符号の主走査方向の画素数が原稿サイズであり（条件１）、ＪＰＥＧヘッダのＹパラメータに副走査方向のライン数が格納されていないこと（条件２）を含み、受信情報は輝度情報のみでない（条件３）。また受信情報にＲＳＴマーカが含まれていない（条件４）という情報を含んでいる。これらの中から、条件１乃至条件４のいずれかが満足されると、受信した色空間ｓＹＣＣのＪＰＥＧ符号を復号して印刷する。
【００３７】
図７乃至図１１は、本発明の実施の形態２に係るファクシミリ装置における処理を示すフローチャートであり、この処理を実行するプログラムはＲＯＭ２４に記憶されており、ＣＰＵ２２の制御の下に実行される。
【００３８】
まずステップＳ２１で、バス２６を介して、メモリ１８の内容を初期化する。次にステップＳ２２に進み、バス２６を介して、操作部２０の表示部をクリアする。そしてステップＳ２３に進み、バス２６を介してＮＣＵ２のＣＭＬをオフする。次にステップＳ２４に進み、操作部２０より入力される情報に基づいて、色空間ｓＹＣＣのＪＰＥＧ受信情報を記録するためのオア条件の登録が選択されたか否かを判断し、この登録が選択されるとステップＳ２５に進み、操作部２０よりの情報に基づいて、メモリ１８に、色空間ｓＹＣＣのＪＰＥＧ受信情報を記録する条件をオア条件として、例えば図６に示すような情報をメモリ１８に登録する。
【００３９】
ステップＳ２４で登録が選択されない時、或いはステップＳ２５を実行するとステップＳ２６に進み、ファクシミリ受信が選択されたか否かを判断し、受信が選択されない時はステップＳ２７に進み、指示された処理に対応するその他の処理を実行して前述のステップＳ２３に進む。一方、受信が選択された時はステップＳ２８に進み、バス２６を介してＮＣＵ２のＣＭＬをオンする。次にステップＳ２９に進み、前手順を実行する。ここでは、ＤＩＳ信号のＦＩＦのビット６８，６９，Ｘを「１」にする。そしてステップＳ３０（図８）に進み、ＤＣＳ信号のＦＩＦのビットＸが「１」である（色空間ｓＹＣＣでのＪＰＥＧ送信）か否かを判定し、そうでない時はステップＳ４４（図１０）に進むが、そうであればステップＳ３１に進み、色空間ｓＹＣＣのＪＰＥＧ符号情報を受信してメモリ１８に格納するメモリ受信を実行する。次にステップＳ３２に進み、中間手順を実行する。次にステップＳ３３に進み、次ページの受信情報があるか否かを判断し、次ページの受信情報があればステップＳ３４に進むが、次ページがない時はステップＳ３５に進む。
【００４０】
ステップＳ３４では、モードチェンジがあるか否かを判断し、モードチェンジがあればステップＳ２９（図７）に進むが、モードチェンジがない時はステップＳ３１に進む。
【００４１】
ステップＳ３３で次ページがない時はステップＳ３５に進み、後手順を実行する。次にステップＳ３６に進み、バス２６を介してＮＣＵ２のＣＭＬをオフする。次にステップＳ３７に進み、受信した全ページの情報が色空間ｓＹＣＣのＪＰＥＧ符号情報であるか否かを判断し、そうであればステップＳ４１（図９）に進み、そうでない時はステップＳ３８に進み、その受信した情報を、その受信したモードでページ順に記録回路１６を使用して印刷する。ここで記録処理が終了するとメモリ１８に記憶されていた受信情報を消去する。そして前述のステップＳ２３（図７）に進む。
【００４２】
図９のステップＳ４１では、受信した色空間ｓＹＣＣのＪＰＥＧ符号情報が、色空間ｓＹＣＣのＪＰＥＧ受信情報をプリントする条件（図６）のどれか１つを満足しているか否かを判断し、満足していないと判断するとステップＳ４２に進み、色空間ｓＹＣＣのＪＰＥＧ受信情報を、メモリカード３０に格納する。そして、このアップロード後、メモリ１８に記憶されていた受信情報を消去する。一方、ステップＳ４１で、条件を満足していると判定されるとステップＳ４３に進み、メモリ１８に格納されている、受信した色空間ｓＹＣＣのＪＰＥＧ符号情報を復号し、その情報を受信したモードで、ページ順に印刷する。この印刷処理が終了すると、メモリ１８に記憶されているその受信情報を消去する。そして前述のステップＳ２３に進む。
【００４３】
またステップＳ３０（図８）で、ＤＣＳ信号のＦＩＦのビットＸが「１」でない時はステップＳ４４（図１０）に進み、ＤＣＳ信号のＦＩＦのビット６８，６９がともに「１」であるか否かを判定し、そうであると判定されるとステップＳ４５に進み、そうでないと判定されるとステップＳ５２（図１１（Ｂ））に進む。ステップＳ４５では、色空間ＬａｂのＪＰＥＧフルカラー符号情報を受信してメモリ１８に格納するメモリ受信を実行する。次にステップＳ４６に進み、中間手順を実行する。次にステップＳ４７に進み、次ページの受信があるか否かを判断し、次ページがある時はステップＳ５１（図１１（Ａ））に進むが、次ページがない時は前述のステップＳ３５（図８）に進む。
【００４４】
ステップＳ５１では、モードチェンジがあるか否かを判断し、あれば前述のステップＳ２９（図７）に進み、なければ前述のステップＳ４５（図１０）に進む。
【００４５】
また前述の図１０のステップＳ４４で、ＤＣＳ信号のＦＩＦのビット６８，６９がともに「１」でない時はステップＳ５２（図１１（Ｂ）））に進み、モノクロ情報を受信してメモリ１８に格納する。そしてステップＳ５３に進み、中間手順を実行する。次にステップＳ５４に進み、次ページの受信データがあるか否かを判断し、あればステップＳ５５に進み、モードチェンジがあるかどうかを判定する。モードチェンジがあれば前述したステップＳ２９（図７）に進むが、モードチェンジがない時は前述したステップＳ５２（図１１（Ｂ））に進む。またステップＳ５４で、次ページの受信データがない時はステップＳ３５（図８）に進む。またステップＳ５４で、次ページの受信データがない時は前述のステップＳ３５（図８）に進む。
【００４６】
以上説明したように本実施の形態２によれば、色空間ｓＹＣＣのＪＰＥＧ符号情報を受信した場合、登録された色空間ｓＹＣＣの受信情報を印刷する条件を満たしている場合はその受信情報を印刷し、その条件を満たさない場合は、その受信情報をメモリカードに格納することができる。
【００４７】
これにより、受信機側のユーザは、自分の所有するＰＣ或いはデジタルスチルカメラでＪＰＥＧデコードエラーとならないＪＰＥＧ符号方式をアンド条件で設定して登録しておく。そしてその受信機がカラー原稿情報を色空間ｓＹＣＣのＪＰＥＧ符号でカラー送信された情報を受信した場合、その登録されている条件に合致するＪＰＥＧ情報を受信すると、その受信情報をメモリカード３０にアップロードすることができる。これにより、その受信情報がアップロードされたメモリカード３０を、そのユーザが所有しているＰＣやデジタルカメラで読取り再生することができる。
【００４８】
一方、ユーザの所有するＰＣ或いはデジタルスチルカメラでＪＰＥＧデコードエラーとなることが考えられるＪＰＥＧ符号方式であると、その受信情報をメモリカード３０に格納せずに復号してプリントする。
【００４９】
［実施の形態３］
前述の実施の形態２では、受信した色空間ｓＹＣＣのＪＰＥＧ符号情報をメモリカード３０に格納せずにプリントする条件をオア条件として登録する場合で説明した。しかし、受信した色空間ｓＹＣＣのＪＰＥＧ符号情報をメモリカード３０に格納する条件をアンド条件として登録しても良い。
【００５０】
この実施の形態３では、送信機から受信機に、色空間ＬａｂでのＪＰＥＧ符号情報の送信を指定する手段、色空間Ｌａｂでのフルカラー情報の送信を指定する手段、色空間ｓＹＣＣでのＪＰＥＧ符号情報の送信を指定する手段を有し、また受信機では、色空間ｓＹＣＣの受信情報をメデイア（メモリカード）に格納する条件を登録する手段を有し、色空間ｓＹＣＣのＪＰＥＧ符号情報を受信した時、その登録されている色空間ｓＹＣＣの受信情報をメデイアに格納する条件を満たした場合は、受信した色空間ｓＹＣＣのＪＰＥＧ符号情報をメデイアに格納し、その条件を満たさない場合は受信情報を印刷するようにしている。ここで、色空間ｓＹＣＣの受信情報をメデイアに格納する条件は、ユーザが任意に登録することができる。この色空間ｓＹＣＣの受信情報をメデイアに格納する条件としては、受信情報の主走査方向の画素数がデジタルスチルカメラサイズである、ＪＰＥＧヘッダのＹパラメータに副走査方向のライン数が格納されている、受信情報が輝度情報と２つの色差情報を含む、受信情報にＲＳＴマーカが含まれていない等の情報から選択して登録することができる。尚、この実施の形態３では、色空間ｓＹＣＣの受信情報をメデイアに格納する条件をアンド条件としている。
【００５１】
尚、この実施の形態３に係るファクシミリ装置は前述の実施の形態１，２のファクシミリ装置と同じハードウェア構成を有しており、図２に示すＤＩＳ／ＤＴＣ信号とＤＣＳ信号のＦＩＦのビットは同じ意味を持っているので、その説明を省略する。
【００５２】
図１２は、本発明の実施の形態３において、色空間ｓＹＣＣのＪＰＥＧ符号情報を受信した時に、その受信情報をメモリカード３０に格納する条件（アンド条件）の一例を説明する図である。
【００５３】
具対的には、色空間ｓＹＣＣの受信情報をメモリカード３０に格納する条件としては、受信情報の主走査方向の画素数がデジタルスチルカメラサイズであること（条件１）、ＪＰＥＧヘッダのＹパラメータに副走査方向のライン数が格納されていること（条件２）を含み、受信情報は輝度情報と２つの色差情報を含まなくて良い（条件３）、受信情報にＲＳＴマーカが含まれていても良い（条件４）。従って、これら条件１〜４が全て満足された場合（アンド条件）に、色空間ｓＹＣＣのＪＰＥＧ受信情報をメモリカード３０に格納する。
【００５４】
図１３（Ａ）（Ｂ）は、本実施の形態３に係るファクシミリ装置における処理を示すフローチャートで、ここでは前述の図７乃至図１１のフローチャートに対して異なる部分の制御フローチャートのみが示されている。
【００５５】
図１３（Ａ）において、図７のステップＳ２３に続いてステップＳ６１で、操作部２０から入力される情報を入力し、色空間ｓＹＣＣのＪＰＥＧ符号情報をメモリカード３０に格納するアンド条件の登録が選択されたか否かを判断する。登録が選択されるとステップＳ６２に進み、操作部２０よりの情報を入力して、メモリ１８に、色空間ｓＹＣＣのＪＰＥＧ符号情報をメモリカード３０に格納するための条件をアンド条件として、例えば図１２に示すような情報を登録する。そして前述のステップＳ２６（図７）に進む。またステップＳ６１で登録が選択されていない時もステップＳ２６に進む。
【００５６】
また前述のステップＳ３７（図８）で、色空間ｓＹＣＣのＪＰＥＧ符号の受信の場合はステップＳ６３（図１３（Ｂ））に進み、受信した色空間ｓＹＣＣのＪＰＥＧ符号情報をメモリカード３０に格納する全ての条件に一致しているか否かを判断し、一致していればステップＳ４２（図９）に進み、その受信情報をメモリカード３０にアップロードする。また、一致していない時はステップＳ４３（図９）に進み、その受信情報をページ順に記録回路１６により印刷する。
【００５７】
以上説明したように本実施の形態３によれば、受信機のユーザが保有しているＰＣ或いはデジタルスチルカメラで読み取り可能なデータフォーマットとなるようなＪＰＥＧ符号方式をアンド条件で設定しておき、カラー原稿情報を色空間ｓＹＣＣのＪＰＥＧ符号で受信した場合、その設定された条件を満足するＪＰＥＧ符号であれば、その受信データをメモリカード３０にアップロードする。これにより、そのメモリカード３０を、そのユーザが所有しているデジタルスチルカメラ或いはＰＣで読み取って、その画像を表示或いは印刷できる。また、その条件を満足していない時は、その受信したＪＰＥＧ符号をメモリカード３０に格納することなく、復号して印刷することにより、メモリカード３０が使用できなくなるのを防止できるという効果がある。
【００５８】
［実施の形態４］
次に本発明の実施の形態４について説明する。この実施の形態４では、色空間ｓＹＣＣのＪＰＥＧ符号情報を受信した時、その受信情報をメデイア（メモリカード）に格納する際、そのまま受信情報を格納する。一方、その受信情報を記録回路１６で記録する時には、特定のマーカを解釈せずに無視して記録を行う。そして、色空間ｓＹＣＣのＪＰＥＧ符号情報を受信した時、その受信情報を記録する時に無視するマーカを登録可能にしたことを特徴としている。
【００５９】
また、色空間ｓＹＣＣのＪＰＥＧ符号情報を受信した時、メディア（メモリカード）が装着されていて、かつ空き容量があれば、その受信情報をメデイアに格納する。一方、メデイアが存在しないか、或いは、メデイアが存在しても空き容量が無ければ受信情報を復号して記録するように動作することを特徴としている。尚、この実施の形態４に係るファクシミリ装置のハードウェア構成及びＤＩＳ／ＤＴＣ信号及びＤＣＳ信号のＦＩＦの各ビットの定義は前述の実施の形態１と同様とする。
【００６０】
図１４は、本実施の形態４において、色空間ｓＹＣＣのＪＰＥＧ符号情報の受信時、その受信情報を記録（印刷）する際に無視するマーカを規定する情報の一例を示す図である。この情報は、ユーザＡが操作部２０により入力して設定・登録することができ、この設定された情報はメモリ１８に記憶される。
【００６１】
図１４の例では、色空間ｓＹＣＣのＪＰＥＧ符号情報の受信時、マーカ（Ａｐｐ１，Ａｐｐ２）を無視するように設定されている。
【００６２】
図１５乃至図１７は、本発明の実施の形態４に係るファクシミリ装置における処理を説明するフローチャートで、この処理を実行するプログラムはＲＯＭ２４に記憶されている。
【００６３】
まずステップＳ７１で、バス２６を介して、メモリ１８の内容を初期化する。次にステップＳ７２に進み、バス２６を介して、操作部２０の表示部をクリアする。そしてステップＳ７３に進み、バス２６を介してＮＣＵ２のＣＭＬをオフする。次にステップＳ７４に進み、操作部２０から入力される情報に基づいて、色空間ｓＹＣＣのＪＰＥＧ情報をプリントする時に無視するマーカを登録する処理が選択されたか否かを判断し、この登録処理が選択されるとステップＳ７５に進み、操作部２０よりの情報を基に、色空間ｓＹＣＣのＪＰＥＧ符号情報をプリントする時に無視するマーカに関する情報、例えば図１４に示すような情報が設定されると、その情報をメモリ１８に登録する。
【００６４】
ステップＳ７４で登録処理が選択されない時、或いはステップＳ７５を実行するとステップＳ７６に進み、ファクシミリ受信が選択されたか否かを判断し、受信が選択されない時はステップＳ７７に進み、指示された処理に対応するその他の処理を実行してステップＳ７３に進む。
【００６５】
一方、受信が選択された時はステップＳ７８に進み、バス２６を介してＮＣＵ２のＣＭＬをオンする。次にステップＳ７９（図１６）に進み、前手順を実行する。ここでは、ＤＩＳ信号のＦＩＦのビット６８，６９，Ｘを「１」にする。そしてステップＳ８０に進み、ＤＣＳ信号のＦＩＦのビットＸが「１」である（色空間ｓＹＣＣでのＪＰＥＧ送信）か否かを判定し、そうでない時はステップＳ９４（図１７（Ｂ））に進むが、そうであればステップＳ８１に進み、受信した色空間ｓＹＣＣのＪＰＥＧ符号情報を記憶するためのメモリカード３０が装着されていて、かつメモリカード３０に所定量の空きエリアがあるかどうかをみる。こうしてメモリカード３０に書込み可能と判断されるとステップＳ８２に進み、受信した色空間ｓＹＣＣのＪＰＥＧ符号情報をメモリカード３０に格納する。ここでは、受信した全てのマーカは、そのままメモリカード３０に格納される。こうしてメモリカード３０に格納された情報は最大限のＪＰＥＧ復号を可能としている。また、このステップＳ９１は中間手順を含んでいる、次にステップＳ９２に進み、後手順を実行して前述のステップＳ７３（図１５）に戻る。
【００６６】
一方、ステップＳ８１で、メモリカード３０へ格納できない時はステップＳ９１（図１７（Ａ））に進み、記録回路１６を使用して、その受信した色空間ｓＹＣＣのＪＰＥＧ符号情報の中で、登録されているマーカを無視して復号し、記録回路１６で記録する。このステップＳ９１は中間手順を含む。尚、ここでは、ユーザが操作部２０を使用して登録したように、色空間ｓＹＣＣのＪＰＥＧ受信情報を記録する時に、その登録されているマーカを無視してＪＰＥＧ復号することが重要である。そしてステップＳ９２に進み、後手順を実行して前述のステップＳ７３に進む。
【００６７】
また前述のステップＳ８０（図１６）で、ＤＣＳ信号のＦＩＦのビットＸが「１」でない時はステップＳ９４（図１７（Ｂ））に進み、ＤＣＳ信号のＦＩＦのビット６８，６９ビットがともに「１」であるか否かを判断し、「１」であればステップＳ９５に進み、受信した色空間ＬａｂのＪＰＥＧフルカラー情報を、全てのマーカを解釈して復号して記録する。ここでは、色空間ＬａｂのＪＰＥＧフルカラー情報の受信時には、受信した全てのマーカを解釈して復号し、能力を活かした記録をすることがポイントである。そしてステップＳ９６に進み、後手順を実行して前述のステップＳ７３（図１５）に進む。
【００６８】
またステップＳ９４で、ＤＣＳ信号のＦＩＦのビット６８，６９が「１」でないときはステップＳ９７に進み、受信したモノクロ情報を復号して記録する。この処理は中間手順を含んでいる。そしてステップＳ９８に進み、後手順を実行して前述のステップＳ７３に進む。
【００６９】
以上説明したように本実施の形態４によれば、例えば、色空間ｓＹＣＣのＪＰＥＧ符号情報を受信した時、特定のマーカ（例えば、アプリケーションマーカ）を無視して記録を実行すると登録しておくことにより、デジタルカメラの色空間ｓＹＣＣのＪＰＥＧ符号ファイル情報の送信が実行された時、そのＪＰＥＧ符号情報のヘッダのマーカを無視して受信及び復号、印刷を行うことができる。
【００７０】
また、この無視すべきマーカを特定して登録可能であるため、あるマーカを受信して記録するとエラーが発生するような場合には、そのマーカを無視するように設定して登録できるため、色空間ｓＹＣＣのＪＰＥＧ符号情報を確実に受信して記録できるという効果がある。
【００７１】
［実施の形態５］
この実施の形態５では、色空間ｓＹＣＣのＪＰＥＧ符号情報の受信時、その受信したＪＰＥＧ符号情報をメデイア（メモリカード３０）に格納するか、或いは記録回路１６により記録するように登録する手段を有し、この登録した情報に基づいて、色空間ｓＹＣＣのＪＰＥＧ符号情報の受信時の制御を実行しても良い。尚、この実施の形態５に係るファクシミリ装置のハードウェア構成及びＤＩＳ／ＤＴＣ信号及びＤＣＳ信号のＦＩＦの各ビットの定義は前述の実施の形態１と同様とする。
【００７２】
ここで、メモリ１８には、色空間ｓＹＣＣのＪＰＥＧ情報を受信時の受信制御として、プリントを優先する、或いはメモリカード３０に格納を優先するを、例えば、図１８に示す様に登録する。
【００７３】
図１８は、本発明の実施の形態５に係る登録情報の一例を説明する図で、ここでは、色空間ｓＹＣＣのＪＰＥＧ情報の受信時に、記録回路１６によるプリントを優先させるか、或いはメモリカード３０への格納を優先させるかを選択するための情報を記憶している。
【００７４】
図１９（Ａ）（Ｂ）は、実施の形態５に係る処理を説明するフローチャートで、前述の図１５乃至１７のフローチャートに対して異なる部分のみの制御フローチャートを示している。
【００７５】
図１９（Ａ）において、ステップＳ７３に続いてステップＳ１０１に進み、操作部２０からの情報に基づいて、色空間ｓＹＣＣのＪＰＥＧ符号情報を受信した時の優先動作を設定する情報の登録が選択されたか否かを判断する。その情報の登録が選択されたと判断されるとステップＳ１０２に進み、色空間ｓＹＣＣのＪＰＥＧ符号情報の受信時に、その受信情報をプリント優先するか、或いはメモリカード３０に格納するのを優先させる情報、例えば、図１８に示す様な情報を、メモリ１８に登録する。そして前述のステップＳ７４（図１５）に進む。
【００７６】
またステップＳ８０（図１６）の判定で「Ｙｅｓ」の場合はステップＳ１０５（図１９（Ｂ））に進み、色空間ｓＹＣＣのＪＰＥＧ符号情報の受信時、プリント優先を示す情報が登録されているか否かを判断し、そうであると判断するとステップＳ９１（図１７（Ａ））に進み、登録されているマーカを無視して、その受信情報を復号して記録する。一方、プリント優先でないと判断するとステップＳ８１（図１６）に進み、メモリ角３０に格納可能かどうかを調べ、格納可能であればステップＳ８２に進み、受信したＪＰＥＧ符号をメモリカード３０に格納する。
【００７７】
以上説明したように本実施の形態５によれば、色空間ｓＹＣＣのＪＰＥＧ符号情報の受信時、メデイア（メモリカード）が存在し、そのメディアに書込み可能であれば、その受信情報をメデイアに格納するように設定でき、またメデイアが存在しないか、或いはメデイアが存在しても、その受信情報を優先的に記録することが可能になる。
【００７８】
［実施の形態６］
次に、本発明の実施の形態６について説明する。この実施の形態６では、一通信で、色空間ｓＹＣＣのＪＰＥＧ情報とそれ以外の情報を受信した時、色空間ｓＹＣＣのＪＰＥＧ情報もプリントする。また、一通信で、色空間ｓＹＣＣのＪＰＥＧ情報のみを受信した時、色空間ｓＹＣＣのＪＰＥＧ情報をメデイア（メモリカード）に格納する。更には、一通信で、色空間ｓＹＣＣのＪＰＥＧ情報以外の情報のみを受信した時、色空間ｓＹＣＣのＪＰＥＧ情報以外の情報をプリントする。尚、この実施の形態６に係るファクシミリ装置の構成は前述の実施の形態１のファクシミリ装置と同じハードウェア構成を有しており、図２に示すＤＩＳ／ＤＴＣ信号とＤＣＳ信号のＦＩＦのビットは同じ意味を持っているので、その説明を省略する。
【００７９】
図２０乃至図２３は、本発明の実施の形態６に係るファクシミリ装置における処理を示すフローチャートであり、この処理を実行するプログラムはＲＯＭ２４に記憶されており、ＣＰＵ２２の制御の下に実行される。
【００８０】
まずステップＳ１１１で、バス２６を介して、メモリ１８の内容を初期化する。次にステップＳ１１２に進み、バス２６を介して、操作部２０の表示部をクリアする。そしてステップＳ１１３に進み、バス２６を介してＮＣＵ２のＣＭＬをオフする。次にステップＳ１１４に進み、このファクシミリ装置において、ファクシミリ受信が選択されたか否かを判断し、ファクシミリ受信が選択された時はステップＳ１１６に進み、そうでない時はステップＳ１１５に進み、選択或いは指示された、その他の処理を行ってステップＳ１１３に進む。
【００８１】
ステップＳ１１４で受信が選択されるとステップＳ１１６に進み、バス２６を介してＮＣＵ２のＣＭＬをオンする。次にステップＳ１１７に進み、前手順を実行する。ここでは、ＤＩＳ信号のＦＩＦのビット６８，６９，Ｘを「１」とする。次にステップＳ１１８に進み、ＤＣＳ信号のＦＩＦのビットＸが「１」であるか否かを判断し、「１」であれば、即ち、色空間ｓＹＣＣでのＪＰＥＧ符号の受信であればステップＳ１１９（図２１）に進み、色空間ｓＹＣＣのＪＰＥＧ符号情報を受信してメモリ１８に格納するメモリ受信を実行する。次にステップＳ１２０に進み、１ページの受信が終了したか否かを判断し、１ページの受信終了でなければステップＳ１１９に戻るが、１ページの受信を終了するとステップＳ１２１に進んで中間手順を実行する。次にステップＳ１２２に進み、次ページの受信データがあるか否かを判断し、次ページがある時はステップＳ１２３に進み、モードチェンジがあるか否かを判断する。モードチェンジがなければ前述のステップＳ１１９に戻るが、あれば前述のステップＳ１１７（図２０）に進む。
【００８２】
また一方ステップＳ１２２で、次ページがある時はステップＳ１２４に進み、後手順を実行する。次にステップＳ１２５に進み、バス２６を介してＮＣＵ２のＣＭＬをオフする。次にステップＳ１２６に進み、メモリ受信してメモリ１８に記憶した情報が全て色空間ｓＹＣＣのＪＰＥＧ符号情報であるか否かを判定する。ここで全て色空間ｓＹＣＣのＪＰＥＧ符号情報であると判定されるとステップＳ１２７に進み、そのメモリ１８に格納されている色空間ｓＹＣＣのＪＰＥＧ符号情報をメモリカード３０に格納する。そしてステップＳ１３１（図２２（Ａ））に進み、操作部２０の表示部に、「メモリカードに受信情報があります」と表示する。尚、この表示は何らかのキー操作で消去される。そして前述のステップＳ１１３（図２０）に進む。
【００８３】
また一方、ステップＳ１１８（図２０）でビットＸが「１」でない時はステップＳ１３２（図２２（Ｂ））に進み、指定された受信モードをメモリ１８に記憶し、そのファクシミリ受信した受信情報をメモリ１８に格納するメモリ受信を実行する。次にステップＳ１３３に進み、１ページの受信が終了したか否かを判断し、１ページの受信終了でない時はステップＳ１３２に進むが、１ページの受信が終了するとステップＳ１３４に進み、中間手順を実行する。次にステップＳ１３５に進み、次ページの受信情報があるか否かを判断し、次ページがあるとステップＳ１３６に進み、モードチェンジがあるか否かを判断し、モードチェンジがあれば前述のステップＳ１１７（図２０）に進むが、モードチェンジがなければ前述のステップＳ１３２に進む。またステップＳ１３５で次ページがない時はステップＳ１２４（図２１）に進んで後手順を実行する。
【００８４】
またステップＳ１２６（図２１）で、メモリ受信した情報が全て色空間ｓＹＣＣのＪＰＥＧ符号情報でないと判定されるとステップＳ１４１（図２３）に進み、そのメモリ受信した情報を復号し、記録回路１６を使用してページ順に全てプリントする。ここで、色空間ｓＹＣＣのＪＰＥＧ符号情報もプリントすることが重要である。そして前述のステップＳ１１３（図２０）に進む。
【００８５】
以上説明したように本実施の形態６によれば、色空間ｓＹＣＣのＪＰＥＧ情報と色空間ｓＹＣＣのＪＰＥＧ情報以外の情報を混在して受信した時は、全て一体化してプリントできるため、ユーザはこれらの混在情報を確実にひとつの情報として確認することができる。
【００８６】
また、色空間ｓＹＣＣのＪＰＥＧ情報のみを受信した場合には、その受信情報をメデイア（メモリカード）に格納して再利用することができる。
【００８７】
更に、色空間ｓＹＣＣのＪＰＥＧ情報以外の情報を受信した時にはプリントすることが明瞭にり、これらを取説等に明瞭に記載することにより安心してユーザがこれらの情報を受信して認識できるようになった。
【００８８】
［実施の形態７］
次に本発明の実施の形態７について説明する。この実施の形態７では、前手順にて、色空間ｓＹＣＣでのＪＰＥＧ符号情報の受信機能の有無を通知する手段、一方、送信機から受信機に、色空間ｓＹＣＣでのＪＰＥＧ符号情報の送信を指定する手段を有し、一通信で、色空間ｓＹＣＣのＪＰＥＧ情報とそれ以外の情報を受信した時、色空間ｓＹＣＣのＪＰＥＧ情報以外の情報は、所定枚数（所定データ量）以下の受信情報であればメデイア（メモリカード）に格納しても良い。この時、色空間ｓＹＣＣのＪＰＥＧ情報以外の情報をプリントする。そして、色空間ｓＹＣＣのＪＰＥＧ情報以外の情報のプリント時には、メデイアに格納されている受信情報がある旨を表示する。尚、この実施の形態７に係るファクシミリ装置のハードウェア構成及びＤＩＳ／ＤＴＣ信号及びＤＣＳ信号のＦＩＦの各ビットの定義は前述の実施の形態と同様とする。
【００８９】
図２４は、本実施の形態７に係るファクシミリ装置における処理を説明するフローチャートで、前述の図２０乃至図２３に対して異なる部分だけが図示されている。
【００９０】
ステップＳ１２６（図２１）で、メモリ受信した情報が全て色空間ｓＹＣＣのＪＰＥＧ符号情報でないと判定されるとステップＳ１４２に進み、メモリ受信した情報が、色空間ｓＹＣＣのＪＰＥＧ符号情報とそれ以外の混在情報の受信であったか否かを判断する。そうでなければステップＳ１４３に進み、そのメモリ受信した情報をページ順に全てプリントする。ここでは、色空間ｓＹＣＣのＪＰＥＧ符号情報が無いことが重要である。そしてステップＳ１１３（図２０）に進む。
【００９１】
一方ステップＳ１４２で、色空間ｓＹＣＣのＪＰＥＧ符号情報とそれ以外の混在情報の受信であった場合はステップＳ１４４に進み、色空間ｓＹＣＣのＪＰＥＧ符号情報以外の受信情報のデータ量が、例えば１ページ以下であるか否かを判断する。そうであればステップＳ１４５に進み、そのメモリ受信した色空間ｓＹＣＣのＪＰＥＧ符号情報以外の情報のみを復号して記録回路１６により記録する。この際、「併せてメモリカードにも受信情報を格納している」旨を表示部に表示或いは記録回路１６により記録する。次にステップＳ１４６に進み、そのメモリ受信した色空間ｓＹＣＣのＪＰＥＧ符号情報をメモリカード３０に格納する。そして図２０のステップＳ１１３に進む。
【００９２】
また、ステップＳ１４４で、色空間ｓＹＣＣのＪＰＥＧ符号情報以外の受信情報のデータ量が、例えば１ページ以下でない時はステップＳ１４１（図２３）に進み、そのメモリ受信した情報をページ順に全て記録回路１６で記録する。
【００９３】
以上説明したように本実施の形態７によれば、色空間ｓＹＣＣのＪＰＥＧ情報と色空間ｓＹＣＣのＪＰＥＧ情報以外の情報を混在して受信した時は、色空間ｓＹＣＣのＪＰＥＧ情報以外の情報画の量が所定量（所定枚数）以下であれば、色空間ｓＹＣＣのＪＰＥＧ情報をメデイア（メモリカード）に格納し、色空間ｓＹＣＣのＪＰＥＧ情報以外の情報をプリントすることにより、例えば、デジタルカメラで撮影した情報をファクシミリ送信する時に、コメントを書いた原稿情報を合わせて送信した場合には、受信機側では、そのコメントを書いた原稿情報をプリントして、ユーザに知らせることが出来る。
【００９４】
また更に、そのプリント情報に色空間ｓＹＣＣのＪＰＥＧ符号情報を受信したことをプリントして、メモリカードにその受信情報が記憶されていることを報知できる。
【００９５】
［他の実施の形態］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００９６】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００９７】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００９８】
【発明の効果】
以上説明したように本発明によれば、色空間ｓＹＣＣのＪＰＥＧ符号情報を受信してメモリカードに格納し、そのメモリカードを例えばＰＣやデジタルカメラで読み取って表示できるという効果がある。
【図面の簡単な説明】
【図１】本発明の実施の形態に係るファクシミリ装置の構成を示す機能ブロック図である。
【図２】本実施の形態に係るファクシミリ装置で使用されるＤＩＳ／ＤＴＣ，ＤＣＳ信号のＦＩＦ情報の具体例を示す図である。
【図３】本実施の形態１に係るファクシミリ装置における制御の流れを説明するフローチャートである。
【図４】本実施の形態１に係るファクシミリ装置における制御の流れを説明するフローチャートである。
【図５】本実施の形態１に係るファクシミリ装置における制御の流れを説明するフローチャートである。
【図６】本発明の実施の形態２に係る色空間ｓＹＣＣのＪＰＥＧ受信情報をプリントする条件の一例を説明する図である。
【図７】本実施の形態２に係るファクシミリ装置における制御の流れを説明するフローチャートである。
【図８】本実施の形態２に係るファクシミリ装置における制御の流れを説明するフローチャートである。
【図９】本実施の形態２に係るファクシミリ装置における制御の流れを説明するフローチャートである。
【図１０】本実施の形態２に係るファクシミリ装置における制御の流れを説明するフローチャートである。
【図１１】本実施の形態２に係るファクシミリ装置における制御の流れを説明するフローチャートである。
【図１２】本発明の実施の形態３に係る色空間ｓＹＣＣのＪＰＥＧ受信情報をプリントする条件の一例を説明する図である。
【図１３】本実施の形態３に係るファクシミリ装置における制御の流れを説明するフローチャートである。
【図１４】本発明の実施の形態４に係る色空間ｓＹＣＣのＪＰＥＧ受信情報をプリントする際に無視するマーカを特定する情報の一例を説明する図である。
【図１５】本実施の形態４に係るファクシミリ装置における制御の流れを説明するフローチャートである。
【図１６】本実施の形態４に係るファクシミリ装置における制御の流れを説明するフローチャートである。
【図１７】本実施の形態４に係るファクシミリ装置における制御の流れを説明するフローチャートである。
【図１８】本発明の実施の形態５に係る色空間ｓＹＣＣのＪＰＥＧ受信情報をプリントする際に無視するマーカを特定する情報の一例を説明する図である。
【図１９】本実施の形態５に係るファクシミリ装置における制御の流れを説明するフローチャートである。
【図２０】本発明の実施の形態６に係るファクシミリ装置における制御の流れを説明するフローチャートである。
【図２１】本実施の形態６に係るファクシミリ装置における制御の流れを説明するフローチャートである。
【図２２】本実施の形態６に係るファクシミリ装置における制御の流れを説明するフローチャートである。
【図２３】本実施の形態６に係るファクシミリ装置における制御の流れを説明するフローチャートである。
【図２４】本発明の実施の形態７に係るファクシミリ装置における制御の流れを説明するフローチャートである。
【図１】
2004266514.tif 000003
【図２】
2004266514.tif 000004
【図３】
2004266514.tif 000005
【図４】
2004266514.tif 000006
【図５】
2004266514.tif 000007
【図６】
2004266514.tif 000008
【図７】
2004266514.tif 000009
【図８】
2004266514.tif 000010
【図９】
2004266514.tif 000011
【図１０】
2004266514.tif 000012
【図１１】
2004266514.tif 000013
【図１２】
2004266514.tif 000014
【図１３】
2004266514.tif 000015
【図１４】
2004266514.tif 000016
【図１５】
2004266514.tif 000017
【図１６】
2004266514.tif 000018
【図１７】
2004266514.tif 000019
【図１８】
2004266514.tif 000020
【図１９】
2004266514.tif 000021
【図２０】
2004266514.tif 000022
【図２１】
2004266514.tif 000023
【図２２】
2004266514.tif 000024
【図２３】
2004266514.tif 000025
【図２４】
2004266514.tif 000026